(57)【要約】【課題】本体と目覚し時計とを分離し、目覚し機能を確実化できるとともに、この構成を有効に活用して目覚し時計を充電することが可能な目覚し時計装置を提供する。【解決手段】目覚し時計装置１は、商用電源ＡＣに接続される本体２と、この本体２に接続及び分離可能であって、時計表示部３１を有し、かつ充電式電池３５及び報知手段３８を有する目覚し時計３とを備えている。前記目覚し時計３を前記本体２に接続することにより、前記報知手段３８の報知が停止されるとともに前記充電式電池３５に充電される。【選択図】図１
2015090317.tif 000002
【特許請求の範囲】
【請求項１】
商用電源に接続される本体と、
この本体に接続及び分離可能であって、時計表示部を有し、かつ充電式電池及び報知手段を有する目覚し時計とを備え、
前記目覚し時計を前記本体に接続することにより、前記報知手段の報知が停止されるとともに前記充電式電池に充電されることを特徴とする目覚し時計装置。
【請求項２】
前記本体と目覚し時計とは、接離機構によって電気的、機械的に接続及び分離されることを特徴とする請求項１に記載の目覚し時計装置。
【請求項３】
前記目覚し時計の本体への接続は、目覚し時計が本体へ載置保持されることにより行われることを特徴とする請求項１又は請求項２に記載の目覚し時計装置。
【請求項４】
前記本体には、時計表示部が設けられていることを特徴とする請求項１乃至請求項３のいずれか一に記載の目覚し時計装置。
【請求項５】
前記報知手段による報知は、記録媒体に記憶された音を再生することにより行われることを特徴とする請求項１乃至請求項４のいずれか一に記載の目覚し時計装置。
【発明の詳細な説明】
【技術分野】
【０００１】
本発明は、目覚しを確実に行うことができる目覚し時計装置に関する。
【背景技術】
【０００２】
従来、目覚し時計は、寝室等の枕元に置かれ、設定した時刻にアラーム音が発せられて、これにより睡眠から目覚めることができるようになっている。
【０００３】
しかし、このような目覚し時計では、アラーム音が発せられたときに、一度は目覚めるが、アラーム音を停止操作したり、また、アラーム音を無意識的に停止操作したりして、再度眠り込んで寝過してしまい目覚し機能を確実に発揮できない場合がある。
【０００４】
そこで、本体（親機）と目覚し時計（子機）とを分離して備え、目覚し時計を離れた場所に置かれた本体にセットしなければアラーム音が停止しない目覚し時計装置が提案されている（特許文献１及び特許文献２参照）。
【先行技術文献】
【特許文献】
【０００５】
【特許文献１】特開平５−２８１３６９号公報
【特許文献２】実開平６−７２０７９号公報
【発明の概要】
【発明が解決しようとする課題】
【０００６】
しかしながら、上記のような目覚し時計装置においては、目覚し機能を確実化できる効果は達成できるものの、本体と目覚し時計とを分離した構成を有効に活用するという着目が存在しない。
【０００７】
本発明は、上記課題に鑑みなされたもので、本体と目覚し時計とを分離し、目覚し機能を確実化できるとともに、この構成を有効に活用して目覚し時計を充電することが可能な目覚し時計装置を提供することを目的とする。
【課題を解決するための手段】
【０００８】
請求項１に記載の目覚し時計装置は、商用電源に接続される本体と、この本体に接続及び分離可能であって、時計表示部を有し、かつ充電式電池及び報知手段を有する目覚し時計とを備え、前記目覚し時計を前記本体に接続することにより、前記報知手段の報知が停止されるとともに前記充電式電池に充電されることを特徴とする。
【０００９】
時計表示部は、デジタル式で表示される場合であってもアナログ式で表示される場合であってもよく、表示形式が格別限定されるものではない。また、報知手段は、音、光、振動やこれらの組み合わせにより報知が可能な手段であればよい。
【００１０】
さらに、本体としては、例えば、時計やスピーカ装置等が適用でき、目覚し時計としては、時計表示部の機能を有する携帯電話や携帯型音楽プレーヤ等の電子機器が適用できる。本体及び目覚し時計は、格別限定されるものではなく、目覚し時計が本体に接続されることにより、報知が停止されるとともに充電式電池に充電される構成であればよい。
かかる発明によれば、目覚し機能を確実化できるとともに目覚し時計を充電することが可能であり、有用な目覚し時計装置を提供することができる。
【００１１】
請求項２に記載の目覚し時計装置は、請求項１に記載の目覚し時計装置において、前記本体と目覚し時計とは、接離機構によって電気的、機械的に接続及び分離されることを特徴とする。
【００１２】
請求項３に記載の目覚し時計装置は、請求項１又は請求項２に記載の目覚し時計装置において、前記目覚し時計の本体への接続は、目覚し時計が本体へ載置保持されることにより行われることを特徴とする。
【００１３】
請求項４に記載の目覚し時計装置は、請求項１乃至請求項３のいずれか一に記載の目覚し時計装置において、前記本体には、時計表示部が設けられていることを特徴とする。
時計表示部は、前記と同様にデジタル式で表示される場合であってもアナログ式で表示される場合であってもよく、表示形式が格別限定されるものではない。
【００１４】
請求項５に記載の目覚し時計装置は、請求項１乃至請求項４のいずれか一に記載の目覚し時計装置において、前記報知手段による報知は、記録媒体に記憶された音を再生することにより行われることを特徴とする。
【００１５】
音の再生は、使用者が好む音楽が好ましいが、特段音楽に限定されるものではない。あらゆる音の再生が適用できる。また、記録媒体としては、ＳＤメモリカードが好適であるが、これに限らずＵＳＢメモリ等を用いるようにしてもよく、音を記憶でき再生可能な記録媒体であればよい。さらに、記録媒体は、携帯電話や携帯型音楽プレーヤ等に内蔵されているメモリであってもよい。
【発明の効果】
【００１６】
本発明によれば、本体と目覚し時計とを分離し、目覚し機能を確実化できるとともに、この構成を有効に活用して目覚し時計を充電することが可能な目覚し時計装置を提供することができる。
【図面の簡単な説明】
【００１７】
【図１】本発明の第１の実施形態に係る目覚し時計装置を示す斜視図である。
【図２】同目覚し時計装置の本体を示す斜視図である。
【図３】同目覚し時計装置の目覚し時計を示す斜視図である。
【図４】同目覚し時計装置の接離機構を示す斜視図である。
【図５】同目覚し時計装置のブロック構成図である。
【図６】本発明の第２の実施形態に係る目覚し時計を示す斜視図である。
【図７】本発明の第３の実施形態に係る目覚し時計を示す斜視図である。
【図８】本発明の第４の実施形態に係る目覚し時計を示す斜視図である。
【発明を実施するための形態】
【００１８】
以下、本発明の第１の実施形態について図１乃至図５を参照して説明する。図１は、目覚し時計装置を示す斜視図であり、図２は、本体を示す斜視図であり、図３は、目覚し時計を示す斜視図である。図４は、本体における接離機構を示す斜視図であり、図５は、目覚し時計装置を示すブロック構成図である。
図１乃至図３に示すように目覚し時計装置１は、本体２と、この本体２に接続される目覚し時計３とを備えている。
【００１９】
本体２は、親機に相当するものであり、金属板や合成樹脂材料により略箱状に形成されたケース２１を有し、上面側には、目覚し時計３が載置保持される略直方体形状の保持凹部２２が形成されている。
【００２０】
また、前面側には、時計表示部２３が形成されている。この時計表示部２３は、例えば、液晶表示部であり、デジタル式で時刻が表示されるようになっている。さらに、本体２の前面側には、時刻合わせ等の操作部２４が設けられている。さらに、本体２の背面側には商用電源に接続される電源プラグ２５が導出されている。
【００２１】
保持凹部２２は、接離機構を構成していて、この保持凹部２２に目覚し時計３が接続及び保持凹部２２から分離できるようになっている。詳しくは、図４に示すように、保持凹部２２は、目覚し時計３の外郭が嵌合する形状、寸法に形成されており、保持凹部２２には、第１の作動部２２ａ、第２の作動部２２ｂ及び接続端子２２ｃが設けられている。
【００２２】
第１の作動部２２ａは、保持凹部２２の底面側に設けられており、略円筒のボス状であって上面側へ突出するように形成されている。この第１の作動部２２ａは、後述する目覚し時計３における報知手段による報知を停止作動させる機能を有している。
【００２３】
第２の作動部２２ｂは、同様に保持凹部２２の底面側に設けられている。この第２の作動部２２ｂは、側面形状が略四角形状に形成されていて、ばね材によって上面側へ突出するように弾性付勢されている。つまり、第２の作動部２２ｂは、弾性的に保持凹部２２の底面に出没可能となっている。
【００２４】
また、接続端子２２ｃは、保持凹部２２の側面側に設けられている。接続端子２２ｃは、保持凹部２２の側面側から水平方向へ突出可能な一対の端子であり、ピン状に形成されている。この接続端子２２ｃは、前記第２の作動部２２ｂと連動して動作するようになっており、具体的には、第２の作動部２２ｂが保持凹部２２の底面側へ没入されると、接続端子２２ｃは、第２の作動部２２ｂと連動して保持凹部２２内に水平方向へ向かって突出する。
なお、本体２内には、回路基板が設けられており、この回路基板には、駆動回路や充電回路が配設されている。
【００２５】
目覚し時計３は、子機に相当するものであり、持ち運びに好適な形態をなしており、下部側の外殻が前記保持凹部２２に嵌合する形状、寸法に形成されているとともに上部側が滑らかな円弧状に形成されている。
【００２６】
前面側には、時計表示部３１が形成されており、この時計表示部３１は、例えば、アナログ式の指針で時刻が表示されるようになっている。さらに、本体２の側面側には、目覚し時刻の設定や時刻合わせ等の操作部３２が設けられており、背面側には、前記本体２における保持凹部２２に設けられた接続端子２２ｃが接続される接続端子３３が設けられている。
【００２７】
さらに、底面側には、保持凹部２２に設けられた第１の作動部２２ａが挿入される挿入孔３４が形成されている。この第１の作動部２２ａが挿入孔３４に挿入されることにより、報知停止スイッチ３９（図５参照）が作動されるようになっている。
【００２８】
なお、時計表示部３１は、アナログ式の指針を用いることに限定されるものではなく、デジタル式を適用してもよい。また、目覚し時計３内には、充電式電池、駆動回路、ムーブメントや報知手段が配設されている。
【００２９】
図５に示すように、目覚し時計装置１は、本体２と目覚し時計３とを備えており、本体２には、駆動回路２６、充電回路２７及び時計表示部２３が設けられている。また、目覚し時計３には、充電式電池３５、駆動回路３６、ムーブメント３７及び報知手段３８が設けられている。このような本体２と目覚し時計３とは、接離機構４を介して電気的及び機械的に接続される。また、本体２には、商用電源ＡＣから電力が供給されるようになっている。
【００３０】
本体２の駆動回路２６には、時計表示部２３が接続されており、駆動回路２６は、時計表示部２３に時刻を表示するように動作する。充電回路２７は、整流器等を有していて目覚し時計３の充電式電池３５を充電するように機能する。
【００３１】
目覚し時計３の充電式電池３５は、例えば、リチウムイオン二次電池である。この充電式電池３５は、駆動回路３６に接続されて、駆動回路３６に電力を供給するようになっている。駆動回路３６には、ムーブメント３７及び報知手段３８が接続されている。ムーブメント３７は、駆動回路３６から駆動信号を受け、時計表示部３１の指針を駆動し時刻を表示する。また、報知手段３８は、例えば、ブザー等の報音手段であり、駆動回路３６から駆動信号を受けて報音動作する。
【００３２】
さらに、駆動回路３６には、報知停止スイッチ３９が接続されている。この報知停止スイッチ３９は、保持凹部２２に設けられた第１の作動部２２ａにより接点が解放作動されるようになっている。報知停止スイッチ３９が解放作動されると、駆動回路３６から報知手段３８へ報音停止信号が送信される。
【００３３】
次に、目覚し時計装置１の使用状態を図１乃至図５を参照して説明する。図１に示すように通常の使用状態では、本体２に目覚し時計３がセット（接続）された状態で使用される。具体的には、本体２の保持凹部２２に目覚し時計３の下部側の外殻が嵌合され、目覚し時計３が本体２に載置保持された状態で使用される。このような目覚し時計装置１は、例えば、寝室から離れたデスク、ダイニング、洗面所等に置かれる。
【００３４】
図５に代表して示すように、この状態で電源プラグ２５を商用電源ＡＣに接続することにより本体２に電力が供給され、駆動回路２６が動作し、この駆動回路２６から時計表示部２３へ時刻信号が送信される。時計表示部２３は、時刻信号を受信し、時計表示部２３にデジタル式で現在の時刻を表示するように動作する。
【００３５】
また、充電回路２７は、接離機構４を介して目覚し時計３側に接続されており、つまり、充電回路２７は、充電式電池３５に接続されて、充電式電池３５が充電されるようになっている。この充電式電池３から駆動回路３６に電力が供給され、駆動回路３６からはムーブメント３７へ駆動信号として時刻信号が送信される。ムーブメント３７は、時刻信号を受け、時計表示部３１の指針を駆動してアナログ式で現在の時刻を表示する。
【００３６】
このように通常の使用状態では、商用電源ＡＣから電力が供給され、現在の時刻が本体２にデジタル式で表示され、目覚し時計３にアナログ式で表示される。したがって、時刻表示がデジタル式とアナログ式との双方で行われるので、時刻を把握しやすい目覚し時計装置１を提供することができる。
【００３７】
続いて、目覚し時計として使用する場合には、目覚し時計３を本体２から分離する。すなわち、目覚し時計３を持ち運び例えば、寝室の枕元に置く。この状態では、目覚し時計３は、充電式電池３５から電力が供給され、時計表示部３１に時刻が表示される。一方、操作部３２を操作して報知手段３８が報音動作する時刻を設定すると、駆動回路３６が動作して設定した時刻に報知手段３８に報音信号を送信する。報知手段３８は、報音信号を受けて報音動作を実行する。
【００３８】
ここで、目覚し時計３には、この報音動作を容易に停止する手段は設けられていない。このため報音動作を停止するには、目覚し時計３を離れた場所にある本体２にセットしなければならない。したがって、目覚しを確実に行うことができ、寝坊を防ぎ、目覚し機能を確実化できる目覚し時計装置１を提供することが可能となる。
【００３９】
目覚し時計３を本体２にセットする場合について詳細に説明する。図３に示す目覚し時計３を図２に示す本体２の保持凹部２２に嵌合する。この状態においては、目覚し時計３は、本体２に載置され保持される。同時に目覚し時計３の挿入孔３４に第１の作動部２２ａが挿入される。
【００４０】
また、目覚し時計３自体の重量を伴って底面側の外郭によって第２の作動部２２ｂが押され第２の作動部２２ｂは底面側へ没入される。この動作と連動して接続端子２２ｃが水平方向に突出する。このため接続端子２２ｃは、目覚し時計３の接続端子３３と接触し電気的に接続される。
【００４１】
以上のように挿入孔３４に第１の作動部２２ａが挿入されると、第１の作動部２２ａによって図５に示す報知停止スイッチ３９の接点が解放される。これにより、駆動回路３６から報知手段３８へ報音停止信号が送信され報音動作が停止する。
また、本体２側の接続端子２２ｃと目覚し時計３側の接続端子３３とが接続されることにより、充電式電池３５は充電状態となる。
したがって、目覚し時計３を本体２にセットすることにより、報音動作が停止されるとともに充電式電池３５が充電されるようになる。
【００４２】
上記構成において、接離機構４は、本体２と目覚し時計３とを電気的及び機械的に接続及び分離する手段であり、本実施形態では、本体２と目覚し時計３とで協働して構成されている。具体的には、接離機構４は、本体２の保持凹部２２、第１の作動部２２ａ、第２の作動部２２ｂ及び接続端子２２ｃ並びに目覚し時計３の挿入孔３４及び接続端子３３から構成されている。
【００４３】
なお、接離機構４において、充電式電池３５を充電するための接続端子２２ｃと接続端子３３との電気的接続構成は、上述の構成に格別限定されるものではない。例えば、端子が接触することなく電磁誘導方式により非接触で電気的に接続できる構成を適用し充電されるようにしてもよい。
【００４４】
また、充電回路２７は、本体２側に設けても目覚し時計３側に設けてもよい。さらに、目覚し時計３に携帯電話の充電用の接続端子付きリード線を接続し、目覚し時計３によって携帯電話を充電できるようにしてもよく、さらにまた、時計表示部２３、３１には、電波を受信して時刻を自動的に表示できるような構成を採用することができる。
【００４５】
以上のように本実施形態によれば、本体２と目覚し時計３とを分離し、目覚し機能を確実化できるとともに、この構成を有効に活用して目覚し時計を充電することができる。
【００４６】
次に、本発明の第２の実施形態について主として図６を参照して説明する。図６は、目覚し時計を示す斜視図である。なお、第１の実施形態と同一又は相当部分には同一符号を付し重複する説明は省略する。
【００４７】
本実施形態は、基本的な構成は第１の実施形態と略同様であるが、報知手段３８を例えば、スピーカとしたものであり、また、使用者が好む音楽がスピーカから流れて報音できるようにしたものである。したがって、快適に目覚めることが可能となる。
【００４８】
目覚し時計３の前面側には、デジタル式で時刻が表示される時計表示部３１が配設されているとともに報知手段３８のスピーカが配設されている。また、側面側には、例えば、記録媒体としてＳＤメモリカードSDCが挿入されるカード挿入口５が設けられている。
【００４９】
このような構成によれば、使用者が好む音楽が記憶されたＳＤメモリカードSDCをカード挿入口５に挿入セットすることにより、設定した時刻が到来すると、ＳＤメモリカードSDCに記憶された音楽が再生され、スピーカから音楽が流れて報音される。
【００５０】
また、この報音動作を停止する場合には、第１の実施形態と同様に、目覚し時計３を本体２にセットする。したがって、目覚し時計３を本体２にセットすることにより、報音動作が停止されるとともに充電式電池３５が充電されるようになる。なお、記録媒体としては、ＳＤメモリカードSDCが好ましいが、これに限らずＵＳＢメモリ等を用いるようにしてもよい。また、記録媒体に記憶される情報は、音楽に限らず、使用者が好む音を記憶させて、それを再生するように用いることができる。
【００５１】
次に、本発明の第３の実施形態について主として図７を参照して説明する。図７は、目覚し時計を示す斜視図である。なお、第１の実施形態と同一又は相当部分には同一符号を付し重複する説明は省略する。
【００５２】
本実施形態は、基本的な構成は第１の実施形態と略同様であるが、報知手段３８を例えば、フラッシュライトとしたものである。したがって、光による刺激で目覚めることが可能となる。
【００５３】
目覚し時計３の前面側には、デジタル式で時刻が表示される時計表示部３１が配設されているとともに上部の角部には、報知手段３８のフラッシュライトが配設されている。
このような構成によれば、設定した時刻が到来すると、フラッシュライトから光が断続的に放射されて報知される。
【００５４】
この報知動作を停止する場合には、第１の実施形態と同様に、目覚し時計３を本体２にセットする。これにより、フラッシュライトによる報知動作が停止されるとともに充電式電池３５が充電されるようになる。なお、フラッシュライトを懐中電灯として使用できるようにしてもよい。
【００５５】
次に、本発明の第４の実施形態について主として図８を参照して説明する。図８は、目覚し時計を示す斜視図である。なお、第１の実施形態と同一又は相当部分には同一符号を付し重複する説明は省略する。
【００５６】
本実施形態は、目覚し時計３をボール状に形成したものであり、このボール状の表面にデジタル式で時刻が表示される時計表示部３１が配設されている。この目覚し時計３は、設定した時刻が到来すると、目覚し時計３自体が不規則に動き回る動作、すなわち、報知動作をなすように構成されている。
【００５７】
この報知動作を停止する場合には、第１の実施形態と同様に、目覚し時計３を本体２にセットする。これにより、動き回る報知動作が停止されるとともに充電式電池３５が充電されるようになる。なお、この場合、本体２の保持凹部２２は、目覚し時計３のボール状の外郭が適合するように略半球形状に形成される。
【００５８】
なお、本発明は、上記各実施形態の構成に限定されることなく、発明の要旨を逸脱しない範囲で種々の変形が可能である。また、上記実施形態は、一例として提示したものであり、発明の範囲を限定することは意図していない。
【００５９】
例えば、目覚しのための報知手段による報知は、音、光、振動や動き回り、又はこれらの組み合わせを適用することができる。また、目覚し時計の目覚し時刻の設定は、親機である本体から行えるようにしてもよい。さらに、災害時を想定して、目覚し時計には、ラジオが聞ける機能や照明の機能等、適宜付加することができる。
【符号の説明】
【００６０】
１・・・目覚し時計装置
２・・・本体
３・・・目覚し時計
４・・・接離機構
５・・・挿入口
２１・・・ケース
２２・・・保持凹部
２２ａ・・・第１の作動部
２２ｂ・・・第２の作動部
２２ｃ・・・接続端子
２３・・・時計表示部（本体）
２４・・・操作部（本体）
２５・・・電源プラグ
２６・・・駆動回路（本体）
３１・・・時計表示部（目覚し時計）
３２・・・操作部（目覚し時計）
３３・・・接続端子
３４・・・挿入孔
３５・・・充電式電池
３６・・・駆動回路（目覚し時計）
３７・・・ムーブメント
３８・・・報知手段
【図１】
2015090317.tif 000003
【図２】
2015090317.tif 000004
【図３】
2015090317.tif 000005
【図４】
2015090317.tif 000006
【図５】
2015090317.tif 000007
【図６】
2015090317.tif 000008
【図７】
2015090317.tif 000009
【図８】
2015090317.tif 000010
【手続補正書】
【提出日】平成26年9月3日(2014.9.3)
【手続補正１】
【補正対象書類名】特許請求の範囲
【補正対象項目名】全文
【補正方法】変更
【補正の内容】
【特許請求の範囲】
【請求項１】
商用電源に接続され、上面側の略中央部に接離機構を構成する全周が囲まれた保持凹部が形成されているとともに、時計表示部が設けられた本体と、
この本体に前記保持凹部を介して電気的、機械的に接続及び分離可能であって、下部側の外殻が前記保持凹部に全周が囲まれて嵌合する形状、寸法に形成され、本体への接続状態において直立して載置保持されるとともに常時視認可能な時計表示部を有し、かつ充電式電池及び報知手段を有する目覚し時計とを備え、
前記目覚し時計を前記本体に接続することにより、前記報知手段の報知が停止されるとともに前記充電式電池に充電されることを特徴とする目覚し時計装置。
【請求項２】
前記本体の時計表示部は、デジタル式であり、前記目覚し時計の時計表示部は、アナログ式であることを特徴とする請求項１に記載の目覚し時計装置。
【請求項３】
前記報知手段による報知は、記録媒体に記憶された音を再生することにより行われることを特徴とする請求項１又は請求項２に記載の目覚し時計装置。
【手続補正２】
【補正対象書類名】明細書
【補正対象項目名】０００８
【補正方法】変更
【補正の内容】
【０００８】
請求項１に目覚し時計装置は、商用電源に接続され、上面側の略中央部に接離機構を構成する全周が囲まれた保持凹部が形成されるとともに、時計表示部が設けられた本体と、この本体に前記保持凹部を介して電気的、機械的に接続及び分離可能であって、下部側の外殻が前記保持凹部に全周が囲まれて嵌合する形状、寸法に形成され、本体への接続状態において直立して載置保持されるとともに常時視認可能な時計表示部を有し、かつ充電式電池及び報知手段を有する目覚し時計とを備え、前記目覚し時計を前記本体に接続することにより、前記報知手段の報知が停止されるとともに前記充電式電池に充電されることを特徴とする。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】変更
【補正の内容】
【００１３】
請求項２に記載の目覚まし時装置は、請求項１に記載の目覚し時計装置において、前記本体の時計表示部は、デジタル式であり、前記目覚し時計の時計表示部は、アナログ式であることを特徴とする。
【手続補正６】
【補正対象書類名】明細書
【補正対象項目名】００１４
【補正方法】変更
【補正の内容】
【００１４】
請求項３に記載の目覚まし時装置は、請求項１又は請求項２に記載の目覚し時計装置において、前記報知手段による報知は、記録媒体に記憶された音を再生することにより行われることを特徴とする。
【手続補正７】
【補正対象書類名】明細書
【補正対象項目名】００１９
【補正方法】変更
【補正の内容】
【００１９】
本体２は、親機に相当するものであり、金属板や合成樹脂材料により略箱状に形成されたケース２１を有し、上面側の略中央部には、目覚し時計３が載置保持される略直方体形状の保持凹部２２が形成されている。
【手続補正８】
【補正対象書類名】明細書
【補正対象項目名】００２１
【補正方法】変更
【補正の内容】
【００２１】
保持凹部２２は、接離機構を構成していて、この保持凹部２２に目覚し時計３が接続及び保持凹部２２から分離できるようになっている。詳しくは、図４に示すように、保持凹部２２は、全周が囲まれるように形成され、目覚し時計３の外郭が嵌合する形状、寸法に形成されている。また、保持凹部２２には、第１の作動部２２ａ、第２の作動部２２ｂ及び接続端子２２ｃが設けられている。
【手続補正９】
【補正対象書類名】明細書
【補正対象項目名】００２５
【補正方法】変更
【補正の内容】
【００２５】
目覚し時計３は、子機に相当するものであり、持ち運びに好適な形態をなしており、下部側の外殻が前記保持凹部２２に全周が囲まれて嵌合する形状、寸法に形成されているとともに上部側が滑らかな円弧状に形成されている。
【手続補正１０】
【補正対象書類名】明細書
【補正対象項目名】００３３
【補正方法】変更
【補正の内容】
【００３３】
次に、目覚し時計装置１の使用状態を図１乃至図５を参照して説明する。図１に示すように通常の使用状態では、本体２に目覚し時計３がセット（接続）された状態で使用される。具体的には、本体２の保持凹部２２に目覚し時計３の下部側の外殻が嵌合され、目覚し時計３が本体２に直立して載置保持された状態で使用される。このような目覚し時計装置１は、例えば、寝室から離れたデスク、ダイニング、洗面所等に置かれる。